(57)【要約】【課題】伝送効率を低下させることなく、容易に電波の伝搬に関する伝搬情報を取得することができる通信システムを提供する。【解決手段】２次データファイルＡ２３や２次データファイルＢ２４は、予め伝搬パラメータを位置情報に対応付けて保持する。制御部２１は、位置検出部２２が検出した移動局３０の位置に基づいて、２次データファイルＡ２３や２次データファイルＢ２４から伝搬パラメータを取得する。制御部２１は、取得した伝搬パラメータを伝送特性制御部２５に入力する。【選択図】      図６
2004187210.tif 000002
【特許請求の範囲】
【請求項１】
電波の伝搬に関する伝搬情報を位置に関する位置情報に対応付けて保持する伝搬情報保持手段と、
移動局の位置を検出する位置検出手段と、
該位置検出手段が検出した移動局の位置に基づいて、前記伝搬情報保持手段から前記伝搬情報を取得する取得手段と
を備えることを特徴とする通信システム。
【請求項２】
前記取得手段が取得した伝搬情報に基づいて、信号の伝送特性を制御する伝送特性制御手段を備えることを特徴とする請求項１に記載の通信システム。
【請求項３】
前記伝搬情報保持手段は、前記位置情報毎に基地局に関する前記伝搬情報を保持するか又は前記基地局毎に前記伝搬情報を保持することを特徴とする請求項１又は２に記載の通信システム。
【請求項４】
前記位置情報、建物に関する建物情報及び道路に関する道路情報を保持する原始データ保持手段と、
該原始データ保持手段に保持された前記位置情報、前記建物情報及び前記道路情報に基づいて、前記伝搬情報を計算する計算手段と、
該計算手段が計算した伝搬情報を、前記伝搬情報保持手段に前記位置情報に対応付けて格納する記録手段と
を備えることを特徴とする請求項１乃至３のいずれか１項に記載の通信システム。
【請求項５】
前記移動局の移動先の位置を予測する予測手段を備え、
前記取得手段は、前記予測手段が予測した移動先の位置に基づいて、前記伝搬情報を取得することを特徴とする請求項１乃至４のいずれか１項に記載の通信システム。
【請求項６】
電波の伝搬に関する伝搬情報を位置に関する位置情報に対応付けて保持する伝搬情報保持手段と、
移動局の位置を取得する位置取得手段と、
該位置取得手段が取得した移動局の位置に基づいて、前記伝搬情報保持手段から前記伝搬情報を取得する取得手段と
を備えることを特徴とする基地局。
【請求項７】
前記取得手段が取得した伝搬情報に基づいて、信号の伝送特性を制御する伝送特性制御手段を備えることを特徴とする請求項６に記載の基地局。
【請求項８】
前記取得手段が取得した前記伝搬情報を、前記移動局に通知する伝搬情報通知手段を備えることを特徴とする請求項６又は７に記載の基地局。
【請求項９】
前記伝搬情報保持手段は、前記位置情報毎に基地局に関する前記伝搬情報を保持するか又は前記基地局毎に前記伝搬情報を保持することを特徴とする請求項６乃至８のいずれか１項に記載の基地局。
【請求項１０】
前記移動局の移動先の位置を予測する予測手段を備え、
前記取得手段は、前記予測手段が予測した移動先の位置に基づいて、前記伝搬情報を取得することを特徴とする請求項６乃至９のいずれか１項に記載の基地局。
【請求項１１】
電波の伝搬に関する伝搬情報を位置に関する位置情報に対応付けて保持する伝搬情報保持手段と、
移動局の位置を検出する位置検出手段と、
該位置検出手段が検出した移動局の位置に基づいて、前記伝搬情報保持手段から前記伝搬情報を取得する取得手段と
を備えることを特徴とする移動局。
【請求項１２】
前記取得手段が取得した伝搬情報に基づいて、信号の伝送特性を制御する伝送特性制御手段を備えることを特徴とする請求項１１に記載の移動局。
【請求項１３】
前記位置検出手段が検出した移動局の位置を基地局に通知する位置通知手段を備えることを特徴とする請求項１１又は１２に記載の移動局。
【請求項１４】
前記伝搬情報保持手段は、前記位置情報毎に基地局に関する前記伝搬情報を保持することを特徴とする請求項１１乃至１３のいずれか１項に記載の移動局。
【請求項１５】
前記移動局の移動先の位置を予測する予測手段を備え、
前記取得手段は、前記予測手段が予測した移動先の位置に基づいて、前記伝搬情報を取得することを特徴とする請求項１１乃至１４のいずれか１項に記載の移動局。
【請求項１６】
電波の伝搬に関する伝搬情報を位置に関する位置情報に対応付けて保持する伝搬情報保持手段と、
該伝搬情報保持手段に保持された位置情報に対応付けられた伝搬情報を、基地局又は移動局に提供する提供手段と
を備えることを特徴とする制御局。
【請求項１７】
前記移動局の位置を取得する位置取得手段と、
該位置取得手段が取得した移動局の位置に基づいて、前記伝搬情報保持手段から前記伝搬情報を取得する取得手段と、
該取得手段が取得した前記伝搬情報に基づいて、信号の伝送特性を制御する伝送特性制御手段と
を備えることを特徴とする請求項１６に記載の制御局。
【請求項１８】
前記伝搬情報保持手段は、前記位置情報毎に基地局に関する前記伝搬情報を保持するか又は前記基地局毎に前記伝搬情報を保持することを特徴とする請求項１６又は１７に記載の制御局。
【請求項１９】
前記位置情報、建物に関する建物情報及び道路に関する道路情報を保持する原始データ保持手段と、
該原始データ保持手段に保持された前記位置情報、前記建物情報及び前記道路情報に基づいて、前記伝搬情報を計算する計算手段と、
該計算手段が計算した伝搬情報を、前記伝搬情報保持手段に前記位置情報に対応付けて格納する記録手段と
を備えることを特徴とする請求項１６乃至１８のいずれか１項に記載の制御局。
【請求項２０】
移動局の位置を検出するステップと、
該検出した移動局の位置に基づいて、電波の伝搬に関する伝搬情報を位置に関する位置情報に対応付けて保持する伝搬情報保持手段から、前記伝搬情報を取得するステップと
を有することを特徴とする通信方法。
【請求項２１】
前記取得した伝搬情報に基づいて、信号の伝送特性を制御するステップを有することを特徴とする請求項２０に記載の通信方法。
【発明の詳細な説明】
【０００１】
【発明の属する技術分野】
本発明は、通信システム、基地局、移動局、制御局及び通信方法に関する。
【０００２】
【従来の技術】
広帯域高速信号伝送を目指す今後の移動通信では、伝送特性を改善することが極めて重要である。基地局や移動局は、電波の伝搬パラメータを用いて伝送特性を改善する。そのため、従来、基地局や移動局は、情報信号の他に、トレーニングビット等の伝搬パラメータを測定するための専用信号を伝送し、伝搬パラメータを測定している（例えば、特許文献１参照）。例えば、基地局や移動局は、伝搬パラメータを測定するための専用信号を情報信号に付加して伝送したり、専用信号を情報信号の通信開始の直前に伝送したりしている。このようにして、基地局や移動局は、伝送特性の改善のために必要な伝搬パラメータを取得している。
【０００３】
【特許文献１】
特開平８−１８４９２号公報
【０００４】
【発明が解決しようとする課題】
しかしながら、従来の伝搬パラメータの取得方法では、伝搬パラメータを測定するための専用信号を伝送するため、伝送効率が低下する問題点があった。又、従来の取得方法では、伝搬パラメータを測定するための特別な回路やその制御が必要であった。更に、従来の取得方法では、移動局の移動に伴って頻繁に伝搬パラメータの測定を行う必要があった。又、従来の伝搬パラメータの取得方法では、取得した伝搬パラメータに基づいて、信号の伝送特性を適切に制御することができなかった。
【０００５】
そこで、本発明は、伝送効率を低下させることなく、容易に電波の伝搬に関する伝搬情報を取得することができる通信システム、基地局、移動局、制御局及び通信方法を提供することを目的とする。又、本発明は、取得した伝搬情報に基づいて、信号の伝送特性を適切に制御することができる通信システム、基地局、移動局、制御局及び通信方法を提供することを目的とする。
【０００６】
【課題を解決するための手段】
本発明に係る通信システムは、電波の伝搬に関する伝搬情報を位置に関する位置情報に対応付けて保持する伝搬情報保持手段と、移動局の位置を検出する位置検出手段と、位置検出手段が検出した移動局の位置に基づいて、伝搬情報保持手段から伝搬情報を取得する取得手段とを備えることを特徴とする。このような通信システムによれば、伝搬情報保持手段が、予め伝搬情報を位置情報に対応付けて保持している。そして、取得手段が、位置検出手段が検出した移動局の位置に基づいて、伝搬情報保持手段から伝搬情報を取得する。そのため、基地局や移動局は、従来のように専用信号を伝送して伝搬情報を測定する必要がない。よって、基地局や移動局は、伝送効率を損なうことがなく、測定のための特別な回路や制御も不要である。更に、基地局や移動局は、移動局の移動の度に測定を行う必要もない。そのため、通信システムは、伝送効率を低下させることなく、容易に伝搬情報を取得することができる。
【０００７】
又、通信システムは、取得手段が取得した伝搬情報に基づいて、信号の伝送特性を制御する伝送特性制御手段を備えることが好ましい。これによれば、通信システムは、取得した伝搬情報に基づいて、信号の伝送特性を適切に制御できる。
【０００８】
又、通信システムでは、伝搬情報保持手段は、位置情報毎に基地局に関する伝搬情報を保持することが好ましい。これによれば、基地局や移動局は、位置情報毎に基地局に関する伝搬情報を取得することができる。又、伝搬情報保持手段は、基地局毎に伝搬情報を保持するようにしてもよい。これによれば、基地局や移動局は、基地局毎に伝搬情報を取得することができる。
【０００９】
又、通信システムは、位置情報、建物に関する建物情報及び道路に関する道路情報を保持する原始データ保持手段と、その原始データ保持手段に保持された位置情報、建物情報及び道路情報に基づいて、伝搬情報を計算する計算手段と、計算手段が計算した伝搬情報を、伝搬情報保持手段に位置情報に対応付けて格納する記録手段とを備えることが好ましい。これによれば、計算手段が、原始データ保持手段に保持された位置情報や建物情報、道路情報に基づいて、伝搬情報を求めることができる。そして、記録手段が、計算手段が計算した伝搬情報を位置情報に対応付けて伝搬情報保持手段に格納することにより、通信システムは、伝搬情報を保持する伝搬情報保持手段を作成することができる。そのため、例えば、建物や道路の変更によって、伝搬情報が変化してしまった場合であっても、通信システムは、新たな伝搬情報を求め、伝搬情報保持手段が保持する伝搬情報を新たな伝搬情報に更新することができる。
【００１０】
更に、通信システムは、移動局の移動先の位置を予測する予測手段を備え、取得手段は、予測手段が予測した移動先の位置に基づいて、伝搬情報を取得することが好ましい。これによれば、取得手段が、予測手段が予測した移動局の移動先の位置に基づいて、予測される今後の移動先における伝搬情報を予め取得することができる。そのため、基地局や移動局は、予測される今後の移動先における伝搬情報を用い、様々な予測制御を行うことができる。
【００１１】
又、本発明に係る基地局は、電波の伝搬に関する伝搬情報を位置に関する位置情報に対応付けて保持する伝搬情報保持手段と、移動局の位置を取得する位置取得手段と、位置取得手段が取得した移動局の位置に基づいて、伝搬情報保持手段から伝搬情報を取得する取得手段とを備えることを特徴とする。このような基地局によれば、伝搬情報保持手段が、予め伝搬情報を位置情報に対応付けて保持している。そして、取得手段が、位置取得手段が取得した位置に基づいて、伝搬情報保持手段から伝搬情報を取得する。そのため、基地局は、従来のように専用信号を伝送して伝搬情報を測定する必要がない。よって、基地局は、伝送効率を損なうことがなく、測定のための特別な回路や制御も不要である。更に、基地局は、移動局の移動の度に測定を行う必要もない。そのため、基地局は、伝送効率を低下させることなく、容易に伝搬情報を取得することができる。尚、位置取得手段としては、移動局の位置を検出する位置検出手段や、移動局から通知される移動局の位置を受信する受信手段等を用いることができる。
【００１２】
又、基地局は、取得手段が取得した伝搬情報に基づいて、信号の伝送特性を制御する伝送特性制御手段を備えることが好ましい。これによれば、基地局は、取得した伝搬情報に基づいて、信号の伝送特性を適切に制御できる。
【００１３】
更に、基地局は、取得手段が取得した伝搬情報を、移動局に通知する伝搬情報通知手段を備えることが好ましい。これによれば、基地局は、基地局が取得した伝搬情報を移動局に通知することができる。又、移動局は、基地局に伝搬情報を通知してもらうことにより、伝搬情報を取得することができる。又、伝搬情報保持手段は、位置情報毎に基地局に関する伝搬情報を保持することが好ましい。又、伝搬情報保持手段は、基地局毎に伝搬情報を保持するようにしてもよい。更に、基地局は、移動局の移動先の位置を予測する予測手段を備え、取得手段は、予測手段が予測した移動先の位置に基づいて、伝搬情報を取得することが好ましい。
【００１４】
又、本発明に係る移動局は、電波の伝搬に関する伝搬情報を位置に関する位置情報に対応付けて保持する伝搬情報保持手段と、移動局自身の位置を検出する位置検出手段と、位置検出手段が検出した移動局の位置に基づいて、伝搬情報保持手段から伝搬情報を取得する取得手段とを備えることを特徴とする。このような移動局によれば、伝搬情報保持手段が、予め伝搬情報を位置情報に対応付けて保持している。そして、取得手段が、位置取得手段が取得した位置に基づいて、伝搬情報保持手段から伝搬情報を取得する。そのため、移動局は、従来のように専用信号を伝送して伝搬情報を測定する必要がない。よって、移動局は、伝送効率を損なうことがなく、測定のための特別な回路や制御も不要である。更に、移動局は、移動の度に測定を行う必要もない。そのため、移動局は、伝送効率を低下させることなく、容易に伝搬情報を取得することができる。
【００１５】
又、移動局は、取得手段が取得した伝搬情報に基づいて、信号の伝送特性を制御する伝送特性制御手段を備えることが好ましい。これによれば、移動局は、取得した伝搬情報に基づいて、信号の伝送特性を適切に制御できる。
【００１６】
又、移動局は、位置検出手段が検出した移動局の位置を基地局に通知する位置通知手段を備えることが好ましい。これによれば、移動局は、移動局が検出した移動局自身の位置を基地局に通知することができる。よって、基地局は、移動局に移動局の位置を通知してもらうことにより、移動局の位置を取得することができる。そのため、基地局は、位置検出手段を省略することができる。又、伝搬情報保持手段は、位置情報毎に基地局に関する伝搬情報を保持することが好ましい。更に、移動局は、移動局の移動先の位置を予測する予測手段を備え、取得手段は、予測手段が予測した移動先の位置に基づいて、伝搬情報を取得することが好ましい。
【００１７】
又、本発明に係る制御局は、電波の伝搬に関する伝搬情報を位置に関する位置情報に対応付けて保持する伝搬情報保持手段と、その伝搬情報保持手段に保持された位置情報毎に対応付けられた伝搬情報を、基地局又は移動局に提供する提供手段とを備えることを特徴とする。このような本発明に係る制御局によれば、伝搬情報保持手段が、予め伝搬情報を位置情報に対応付けて保持している。そして、提供手段が、伝搬情報保持手段に保持された位置情報毎に対応付けられた伝搬情報を基地局又は移動局に提供する。よって、基地局や移動局は、伝搬情報を制御局から提供してもらうことにより、取得することができる。そのため、例えば、伝搬情報に変更があった場合であっても、基地局や移動局は、制御局から新たな伝搬情報を取得するだけでよく、伝搬情報を自ら求める必要がない。
【００１８】
又、制御局は、移動局の位置を取得する位置取得手段と、位置取得手段が取得した移動局の位置に基づいて、伝搬情報保持手段から前記伝搬情報を取得する取得手段と、取得手段が取得した伝搬情報に基づいて、信号の伝送特性を制御する伝送特性制御手段とを備えることが好ましい。これによれば、制御局は、移動局の位置に基づいて取得した伝搬情報に基づいて、信号の伝送特性を適切に制御できる。
【００１９】
又、伝搬情報保持手段は、位置情報毎に基地局に関する伝搬情報を保持することが好ましい。又、伝搬情報保持手段は、基地局毎に伝搬情報を保持するようにしてもよい。これらによれば、制御局は、基地局や移動局が利用し易い状態で、伝搬情報を基地局や移動局に提供することができる。
【００２０】
更に、制御局は、位置情報、建物に関する建物情報及び道路に関する道路情報を保持する原始データ保持手段と、その原始データ保持手段に保持された位置情報、建物情報及び道路情報に基づいて、伝搬情報を計算する計算手段と、計算手段が計算した伝搬情報を、伝搬情報保持手段に位置情報に対応付けて格納する記録手段とを備えることが好ましい。これによれば、計算手段が、原始データ保持手段に保持された位置情報や建物情報、道路情報に基づいて、伝搬情報を求めることができる。そして、記録手段が、計算した伝搬情報を位置情報に対応付けて伝搬情報保持手段に格納することにより、制御局は、伝搬情報を保持する伝搬情報保持手段を作成することができる。よって、建物や道路の変更によって、伝搬情報が変化してしまった場合であっても、制御局は、新たな伝搬情報を求め、伝搬情報保持手段が保持する伝搬情報を新たな伝搬情報に更新することができる。そして、制御局は、更新後の新たな伝搬情報を基地局や移動局に提供することができる。
【００２１】
又、本発明に係る通信方法は、移動局の位置を検出するステップと、その検出した移動局の位置に基づいて、電波の伝搬に関する伝搬情報を位置に関する位置情報に対応付けて保持する伝搬情報保持手段から、伝搬情報を取得するステップとを有することを特徴とする。又、通信方法は、取得した伝搬情報に基づいて、信号の伝送特性を制御するステップを有するようにしてもよい。
【００２２】
【発明の実施の形態】
〔通信システム〕
図１に示すように、通信システム１は、制御局１０と、基地局２０と、移動局３０とを備える。尚、図１では、基地局２０や移動局３０は１つずつしか図示されていないが、通信システム１は、複数の基地局２０や移動局３０を備えている。
【００２３】
（制御局）
制御局１０は、図２に示すように、原始データファイル１１と、１次データファイル１２と、２次データファイルＡ１３と、２次データファイルＢ１４と、計算データファイル１５と、制御部１６と、インタフェース（以下「Ｉ／Ｆ」という）１７とを備える。
【００２４】
原始データファイル１１は、位置に関する位置情報、建物に関する建物情報、道路に関する道路情報等、地理に関する地理情報を保持する原始データ保持手段である。建物情報には、例えば、建物の位置や高さ等の情報が含まれる。道路情報には、例えば、道路の交差点の配置や交差点間の道路の様子等が含まれる。原始データファイル１１は、例えば、地図データ及び地図データでは足りない建物の高さ等の情報を保持することにより、地理情報を保持する。原始データファイル１１は、１次データファイル１２、２次データファイルＡ１３、２次データファイルＢ１４に格納される情報の基礎となる。原始データファイル１１は、例えば、ディジタル地図等の市販のものを用いることができる。
【００２５】
１次データファイル１２、２次データファイルＡ１３及び２次データファイルＢ１４は、伝搬情報である伝搬パラメータを位置情報に対応付けて保持する伝搬情報保持手段である。位置情報は、図３（ａ）に示すノード２ａの位置を示す情報を用いる。ノード２ａは道路の交差点を表し、エレメント３ａは交差点間の道路を表す。尚、位置情報として、図３（ｂ）に示すノード２ｂの位置を示す情報を用いるようにしてもよい。ノード２ｂは、ある地域を格子状に区切ってできた各四角形の頂点を表し、エレメント３ｂは各四角形の辺を表す。又、一定間隔で道路を区切った点を表すノードと、その一定間隔の点の間の道路を表すエレメントで道路を表した場合のノードの位置を示す情報を、位置情報として用いてもよい。このように位置情報としては、複数のノード、即ち、複数の点の位置を示す情報を用いることができる。尚、ノードの位置を示す情報としては、緯度と経度等を用いることができる。
【００２６】
又、伝搬パラメータは、電波の伝搬に関する伝搬情報である。本実施形態では、伝搬パラメータとして、各電波の到来方向と波数との関係を示すＤＯＡ特性及び各電波の遅延時間と電力レベルとの関係を示すＴＯＡ特性を用いる。尚、伝搬情報としては、他にも、電波強度、遅延プロファイル、電波の到来角度の分布等を用いることができる。
【００２７】
１次データファイル１２は、位置情報、伝搬パラメータに加えて、建物情報、道路情報等も保持する。１次データファイル１２は、ノード２ａの位置情報毎に、建物情報、道路情報、複数の基地局（＃１）〜（＃ｎ）に関する伝搬パラメータを保持する。図４（ａ）に示すように、１次データファイル１２は、ノード２ａ毎に、位置情報を格納する位置情報用カラム４と、建物情報を格納する建物情報用カラム５と、道路情報を格納する道路情報用カラム６と、そのノード２ａにおける複数の基地局（＃１）〜（＃ｎ）の伝搬パラメータをそれぞれ格納する複数の伝搬パラメータ用カラム７１〜７１ｎとを備える。そして、ノード２ａ毎に設けられた位置情報用カラム４、建物情報用カラム５、道路情報用カラム６、複数の伝搬パラメータ用カラム７１〜７１ｎに、各ノード２ａの位置情報、建物情報、道路情報、基地局（＃１）〜（＃ｎ）の伝搬パラメータが格納される。
【００２８】
２次データファイルＡ１３は、ノード２ａの位置情報毎に、複数の基地局（＃１）〜（＃ｎ）に関する伝搬パラメータを保持する。図４（ｂ）に示すように、２次データファイルＡ１３は、ノード２ａ毎に、位置情報を格納する位置情報用カラム４と、そのノード２ａにおける複数の基地局（＃１）〜（＃ｎ）の伝搬パラメータをそれぞれ格納する複数の伝搬パラメータ用カラム７１〜７１ｎとを備える。そして、ノード２ａ毎に設けられた位置情報用カラム４、複数の伝搬パラメータ用カラム７１〜７１ｎに、各ノード２ａの位置情報、基地局（＃１）〜（＃ｎ）の伝搬パラメータが格納される。
【００２９】
更に、２次データファイルＡ１３は、複数の基地局（＃１）〜（＃ｎ）に関する伝搬パラメータを、一定の基準に従って保持する。２次データファイルＡ１３は、例えば、伝搬パラメータの値が良好な上位Ｎ個の伝搬パラメータのみを保持する、信号伝送特性に及ぼす影響が大きい上位Ｎ個の伝搬パラメータを保持する、信号伝送特性に及ぼす影響等に基づく閾値以上又は閾値以下の伝搬パラメータのみを保持する、伝搬パラメータの値が良好な順番に保持する、信号伝送特性に及ぼす影響の大きい順番に保持する、信号伝送特性に及ぼす影響の小さい順番に保持するといった一定の基準に従って、伝搬パラメータを保持する。本実施形態では、２次データファイルＡ１３は、電力レベルが高い順番に伝搬パラメータを保持する。
【００３０】
２次データファイルＡ１３は、特に、基地局２０から移動局３０に信号を送信する下り回線を用いた信号の伝送特性を改善する制御に利用される。尚、２次データファイルＡ１３は、ノード２ａの位置情報毎に複数の基地局に関する情報を必ず保持する必要はない。例えば、あるノード２ａの位置には１つの基地局からの電波しか到来しない場合等は、そのノード２ａの位置情報に対しては１つの基地局の伝搬情報のみを対応付けて保持すればよい。
【００３１】
２次データファイルＢ１４は、基地局毎に伝搬パラメータを保持する。図４（ｃ）に示すように、２次データファイルＢ１４は、基地局毎の位置情報用カラム４と、各基地局（＃１）〜（＃ｎ）の伝搬パラメータを格納する伝搬パラメータ用カラム７１〜７ｎを、ノード２ａ毎に備える。そして、ノード２ａ毎に設けられた基地局毎の位置情報用カラム４、各基地局（＃１）〜（＃ｎ）の伝搬パラメータ用カラム７１〜７１ｎに、各ノード２ａの位置情報、各基地局（＃１）〜（＃ｎ）の伝搬パラメータが格納される。このように、２次データファイルＢ１４は、基地局毎に、かつ、ノード２ａの位置情報毎に、伝搬パラメータを保持する。２次データファイルＢ１４は、特に、移動局３０から基地局２０に信号を送信する上り回線を用いた信号の伝送特性を改善する制御に利用される。
【００３２】
計算データファイル１５は、原始データファイル１１に保持された情報に基づいて、伝搬情報である伝搬パラメータを計算する際に用いる計算データを保持する計算データ保持手段である。計算データファイル１５は、計算データとして、例えば、基地局２０の位置や、基地局２０のアンテナ高等を保持する。
【００３３】
制御部１６は、原始データファイル１１に保持された情報に基づいて、伝搬情報である伝搬パラメータを計算する計算手段である。又、制御部１６は、計算した伝搬パラメータを、１次データファイル１２、２次データファイルＡ１３及び２次データファイルＢ１４に、位置情報に対応付けて格納する記録手段としても機能する。
【００３４】
図５を用いて、制御部１６が、１次データファイル１２、２次データファイルＡ１３及び２次データファイルＢ１４を作成する手順について説明する。まず、制御部１６は、１次データファイル１２を作成する。制御部１６は、原始データファイル１１から、位置情報、道路情報、建物情報を取得する。
【００３５】
制御部１６は、取得した道路情報に基づいて、道路を、図３（ａ）に示すノード２ａとエレメント３ａで表す。具体的には、制御部１６は、交差点をノード２ａで表し、交差点間の道路をエレメント３ａで表す。尚、制御部１６は、道路を一定間隔で区切り、区切った点をノードで表し、区切った点の間の道路をエレメントで表すようにしてもよい。又、制御部１６は、原始データファイル１１から地図データを取得し、その地図を図３（ｂ）に示すように格子状に区切ってもよい。そして、制御部１６は、格子状に区切ってできた各四角形の頂点をノード２ｂで表し、各四角形の辺をエレメント３ｂで表すようにしてもよい。
【００３６】
制御部１６は、原始データファイル１１から取得した位置情報、建物情報、道路情報に基づいて、表した各ノード２ａに対して、各ノード２ａの位置を示す位置情報や、各ノード２ａに関係する建物情報、道路情報を対応付ける。そして、図５に示すように、制御部１６は、図４（ａ）に示したノード２ａ毎に設けられた位置情報用カラム４、建物情報用カラム５、道路情報用カラム６に、対応付けた各ノード２ａの位置情報、建物情報及び道路情報を格納する。
【００３７】
制御部１６は、計算データファイル１５から基地局２０の位置や、基地局２０のアンテナ高等の計算データを取得する。そして、図５に示すように、制御部１６は、原始データファイル１１から取得した位置情報、道路情報及び建物情報と、計算データファイル１５から取得した計算データを用いて、各ノード２ａにおける各基地局（＃１）〜（＃ｎ）に関する伝搬パラメータを計算する。本実施形態では、制御部１６は、レイトレース法により、各ノード２ａにおける各基地局（＃１）〜（＃ｎ）に関するＤＯＡ特性及びＴＯＡ特性を計算する。
【００３８】
制御部１６は、図４（ａ）に示したように、ノード２ａ毎に、複数の伝搬パラメータ用カラム７１〜７１ｎを、設置されている複数の基地局（＃１）〜（＃ｎ）に対応して設ける。そして、図５に示すように、制御部１６は、計算により求めた各ノード２ａにおける各基地局（＃１）〜（＃ｎ）の伝搬パラメータを、ノード２ａ毎に設けられた複数の伝搬パラメータ用カラム７１〜７１ｎにそれぞれ格納する。制御部１６は、複数の基地局（＃１）〜（＃ｎ）の伝搬パラメータ用カラム７１〜７１ｎに、対応する基地局（＃１）〜（＃ｎ）の伝搬パラメータを格納する。制御部１６は、このようにして、１次データファイル１２を作成する。
【００３９】
次に、制御部１６は、２次データファイルＡ１３を作成する。図５に示すように、制御部１６は、１次データファイル１２から、各ノード２ａの位置情報と、各ノード２ａにおける複数の基地局（＃１）〜（＃ｎ）に関する伝搬パラメータを取得する。制御部１６は、ノード２ａ毎に、複数の基地局（＃１）〜（＃ｎ）に関する伝搬パラメータを、２次データファイルＡ１３が伝搬パラメータを保持する一定の基準に従って整理する。
【００４０】
具体的には、制御部１６は、伝搬パラメータの値が良好な上位Ｎ個の伝搬パラメータや、信号伝送特性に及ぼす影響が大きい上位Ｎ個の伝搬パラメータ、信号伝送特性に及ぼす影響等に基づく閾値以上又は閾値以下の伝搬パラメータを抽出する。又、制御部１６は、伝搬パラメータを、伝搬パラメータの値が良好な順番や、信号伝送特性に及ぼす影響の大きい順番、信号伝送特性に及ぼす影響の小さい順番に並べる。本実施形態では、制御部１６は、ノード２ａ毎に、複数の基地局（＃１）〜（＃ｎ）に関するＤＯＡ特性及びＴＯＡ特性に基づいて、電力レベルが高い順番に伝搬パラメータを並べる。このようにして、制御部１６は、各ノード２ａにおける信号伝送特性上支配的なデータ（ドミナントデータ）を作成する。
【００４１】
制御部１６は、図４（ｂ）に示したように、ノード２ａ毎に、複数の伝搬パラメータ用カラム７１〜７１ｎを、設置されている複数の基地局（＃１）〜（＃ｎ）に対応して設ける。制御部１６は、１次データファイル１２から取得した各ノード２ａの位置情報と、整理した各ノード２ａにおける複数の基地局（＃１）〜（＃ｎ）の伝搬パラメータを、ノード２ａ毎に設けられた位置情報用カラム４と、複数の伝搬パラメータ用カラム７１〜７１ｎにそれぞれ格納する。制御部１６は、複数の基地局（＃１）〜（＃ｎ）の伝搬パラメータ用カラム７１〜７１ｎに、対応する基地局（＃１）〜（＃ｎ）の伝搬パラメータを格納する。制御部１６は、このようにして、２次データファイルＡ１３を作成する。
【００４２】
次に、制御部１６は、２次データファイルＢ１４を作成する。図５に示すように、制御部１６は、１次データファイル１２から、各ノード２ａの位置情報と、各ノード２ａにおける各基地局（＃１）〜（＃ｎ）に関する伝搬パラメータを取得する。制御部１６は、図４（ｃ）に示したように、基地局毎の位置情報用カラム４と、各基地局（＃１）〜（＃ｎ）の伝搬パラメータを格納する伝搬パラメータ用カラム７１〜７ｎを、ノード２ａ毎に設ける。制御部１６は、１次データファイル１２から取得した各ノード２ａの位置情報と、各ノード２ａにおける各基地局（＃１）〜（＃ｎ）の伝搬パラメータを、ノード２ａ毎に設けられた基地局毎の位置情報用カラム４と、各基地局（＃１）〜（＃ｎ）の伝搬パラメータ用カラム７１〜７ｎにそれぞれ格納する。制御部１６は、各基地局（＃１）〜（＃ｎ）の伝搬パラメータ用カラム７１〜７１ｎに、対応する各基地局（＃１）〜（＃ｎ）の伝搬パラメータを格納する。制御部１６が、このようにして伝搬パラメータを格納することにより、伝搬パラメータは、基地局毎に、かつ、ノード２ａの位置情報毎に整理される。制御部１６は、このようにして、２次データファイルＢ１４を作成する。
【００４３】
尚、建物や道路に変更があり、原始データファイル１１の内容に変更があった場合や、通信システム１の運用上の都合等により原始データファイル１１の内容に変更があった場合には、制御部１６は、新たな原始データファイル１１に基づいて、１次データファイル１２を再度作成する。制御部１６は、１次データファイル１２を再度作成して更新した後、更新後の１次データファイル１２に基づいて、２次データファイルＡ１３及び２次データファイルＢ１４を再度作成して、更新する。このとき、原始データファイル１１の変更が少なく、１次データファイル１２や２次データファイルＡ１３、２次データファイルＢ１４に及ぼす影響が小さい場合には、制御部１６は、１次データファイル１２や２次データファイルＡ１３、２次データファイルＢ１４について、原始データファイル１１の変更の影響が及ぶ部分のみを作成し直せばよい。又、原始データファイル１１の内容の変更の程度によっては、制御部１６は、１次データファイル１２や２次データファイルＡ１３、２次データファイルＢ１４について、作成し直さなくてもよい。
【００４４】
更に、制御部１６は、２次データファイルＡ１３や２次データファイルＢ１４に保持された位置情報毎に対応付けられた伝搬パラメータを、基地局２０や移動局３０に提供する提供手段としても機能する。具体的には、制御部１６は、２次データファイルＡ１３に保持されている位置情報に対応付けられた伝搬パラメータ（以下「２次データファイルＡ情報」という）や、２次データファイルＢ１４に保持されている位置情報に対応付けられた伝搬パラメータ（以下「２次データファイルＢ情報」という）を取り出して、基地局２０や移動局３０に提供する。制御部１６は、２次データファイルＡ情報や２次データファイルＢ情報を、２次データファイルＡ１３や２次データファイルＢ１４に保持された状態のまま提供する。即ち、制御部１６は、２次データファイルＡ情報として、ノード２ａの位置情報毎に、複数の基地局（＃１）〜（＃ｎ）の伝搬パラメータを提供する。又、制御部１６は、２次データファイルＢ情報として、ノード２ａの位置情報毎、かつ、基地局（＃１）〜（＃ｎ）毎に、各基地局（＃１）〜（＃ｎ）の伝搬パラメータを提供する。
【００４５】
制御部１６は、基地局２０に対しては、２次データファイルＡ情報や２次データファイルＢ情報を、Ｉ／Ｆ１７を介して基地局２０に送信して直接提供する。制御部１６は、移動局３０に対しては、２次データファイルＡ情報を基地局２０に送信し、基地局２０に移動局３０に転送してもらうことによって提供する。制御部１６は、２次データファイルＡ情報や２次データファイルＢ情報を、定期的に提供してもよく、基地局２０や移動局３０からの要求があったときに提供してもよく、２次データファイルＡ１３や２次データファイルＢ１４に保持された情報に変更があったときに提供してもよい。Ｉ／Ｆ１７は、基地局２０とデータの送受信を行う送受信手段である。
【００４６】
（基地局）
基地局２０は、図６に示すように、制御部２１と、位置検出部２２と、位置検出用アンテナ２２ａと、２次データファイルＡ２３と、２次データファイルＢ２４と、伝送特性制御部２５と、ベースバンド部２６と、無線部２７と、アンテナ２７ａと、システム制御部２８と、Ｉ／Ｆ２９とを備える。
【００４７】
制御部２１と、位置検出部２２と、位置検出用アンテナ２２ａと、２次データファイルＡ２３と、２次データファイルＢ２４は、伝搬パラメータに関する処理を行う伝搬パラメータ処理系統である。２次データファイルＡ２３、２次データファイルＢ２４は、伝搬情報である伝搬パラメータを位置報に対応付けて保持する伝搬情報保持手段である。２次データファイルＡ２３は、制御局１０の２次データファイルＡ１３と同一である。即ち、２次データファイルＡ２３は、図４（ｂ）に示すように、ノード２ａ毎に、位置情報用カラム４と、そのノード２ａにおける複数の基地局（＃１）〜（＃ｎ）の伝搬パラメータをそれぞれ格納する複数の伝搬パラメータ用カラム７１〜７１ｎとを備える。そして、ノード２ａ毎に設けられた位置情報用カラム４、複数の伝搬パラメータ用カラム７１〜７１ｎに、各ノード２ａの位置情報、複数の基地局（＃１）〜（＃ｎ）の伝搬パラメータが格納されている。更に、２次データファイルＡ２３は、複数の基地局（＃１）〜（＃ｎ）の伝搬パラメータを、一定の基準に従って保持している。
【００４８】
又、２次データファイルＢ２４は、制御局１０の２次データファイルＢ１４と同一である。即ち、２次データファイルＢ２４は、図４（ｃ）に示すように、基地局毎の位置情報用カラム４と、各基地局（＃１）〜（＃ｎ）の伝搬パラメータを格納する伝搬パラメータ用カラム７１〜７ｎをノード２ａ毎に備える。そして、ノード２ａ毎に設けられた基地局毎の位置情報用カラム４、各基地局（＃１）〜（＃ｎ）の伝搬パラメータ用カラム７１〜７１ｎに、各ノード２ａの位置情報、各基地局（＃１）〜（＃ｎ）の伝搬パラメータが格納されている。
【００４９】
位置検出部２２は、移動局３０の位置を検出する位置検出手段である。よって、位置検出部２２は、移動局３０の位置を取得する位置取得手段である。位置検出部２２としては、例えば、基地局２０が移動局３０に送信した信号の伝搬遅延時間を求め、その伝搬遅延時間に基づいて移動局３０の位置を測定する測距手段等を用いることができる。具体的には、位置検出部２２は、位置検出用アンテナ２２ａを介して移動局３０に位置検出用信号を送信する。位置検出部２２は、位置検出用アンテナ２２ａを介して移動局３０から移動局３０が位置検出用信号を受信した時刻の通知を受信する。位置検出部２２は、移動局３０に位置検出用信号を送信した時刻と移動局３０が位置検出用信号を受信した時刻から、位置検出用信号の伝搬遅延時間を求める。そして、位置検出部２２は、求めた伝搬遅延時間及び基地局２０の位置に基づいて移動局３０の位置を検出する。位置検出部２２は、検出した移動局３０の位置を制御部２１に入力する。
【００５０】
制御部２１は、位置検出部２２が検出した移動局３０の位置に基づいて、２次データファイルＡ２３や２次データファイルＢ２４から、伝搬情報である伝搬パラメータを取得する取得手段である。制御部２１は、位置検出部２２から入力された移動局３０の位置と、図４（ｂ）、（ｃ）に示した２次データファイルＡ２３や２次データファイルＢ２４の位置情報用カラム４に格納されたノード２ａの位置情報とを照合する。
【００５１】
制御部２１は、２次データファイルＡ２３からは、検出した移動局３０の位置と位置情報が最も近いノード２ａにおける複数の基地局（＃１）〜（＃ｎ）の伝搬パラメータを取得する。このようにして、制御部２１は、移動局３０の位置に対応する複数の基地局（＃１）〜（＃ｎ）の伝搬パラメータを、位置情報毎に取得することができる。しかも、伝搬パラメータは、一定の基準に従って整理されて２次データファイルＡ２３に保持されているため、制御部２１は、利用し易い状態で、伝搬パラメータを取得することができる。又、制御部２１は、２次データファイルＢ２４からは、検出した移動局３０の位置と位置情報が最も近いノード２ａにおける各基地局（＃１）〜（＃ｎ）の伝搬パラメータを取得する。このようにして、制御部２１は、移動局３０の位置に対応する各基地局（＃１）〜（＃ｎ）の伝搬パラメータを、基地局毎に取得することができる。
【００５２】
制御部２１は、２次データファイルＡ２３から取得した移動局３０の位置に対応する複数の基地局（＃１）〜（＃ｎ）の伝搬パラメータを、システム制御部２８に入力する。尚、制御部２１は、移動局３０からの要求に応じて伝搬パラメータを取得し、システム制御部２８に取得した伝搬パラメータを入力するようにしてもよい。
【００５３】
又、制御部２１は、２次データファイルＢ２４から取得した移動局３０の位置に対応する各基地局（＃１）〜（＃ｎ）の伝搬パラメータを伝送特性制御部２５に入力する。尚、制御部２１は、取得した伝搬パラメータに基づいて、伝送特性制御部２５に指示する値を決定するようにしてもよい。そして、制御部２１は、取得した伝搬パラメータそのものを伝送特性制御部２５に入力してもよく、伝搬パラメータに基づいて決定した指示する値を伝送特性制御部２５に入力してもよく、伝搬パラメータそのものと決定した指示する値の両方を伝送特性制御部２５に入力してもよい。尚、制御部２１は、伝送特性制御部２５からの要求に応じて伝搬パラメータを取得し、伝送特性制御部２５に、取得した伝搬パラメータを入力するようにしてもよい。
【００５４】
ここで、制御部２１が決定する伝送特性制御部２５に指示する値は、伝送特性制御部２５が行う伝送特性制御の内容に応じて異なる。例えば、制御部２１は、伝送特性制御部２５がアダプティブアレーアンテナによる指向性制御を行う場合には、各アレーアンテナに対する具体的な送信の際の重み付け値を、伝送特性制御部２５に指示する値として決定する。又、制御部２１は、伝送特性制御部２５が受信信号の等化処理を等化器を用いて制御する場合には、各チャネル推定値に対する具体的な重み付け値を、伝送特性制御部２５に指示する値として決定する。又、制御部２１は、伝送特性制御部２５が受信信号のＲＡＫＥ合成をＲＡＫＥ受信機を用いて制御する場合には、各アンテナの受信信号に乗算する重み係数を、伝送特性制御部２５に指示する値として決定する。
【００５５】
又、制御部２１は、制御局１０から提供された２次データファイルＡ情報や２次データファイルＢ情報を、２次データファイルＡ２３や２次データファイルＢ２４に格納する記録手段としても機能する。制御部２１は、制御局１０から提供された２次データファイルＡ情報や２次データファイルＢ情報を、システム制御部２８から取得する。制御部２１は、２次データファイルＡ情報を２次データファイルＡ２３に格納し、２次データファイルＢ情報を２次データファイルＢ２４に格納する。このようにして、制御部２１は、２次データファイルＡ２３や２次データファイルＢ２４の作成及び更新を行う。
【００５６】
システム制御部２８は、制御局１０や移動局３０との間の処理を行うシステム制御系統である。システム制御部２８は、制御部２１が取得した伝搬パラメータを、移動局３０に通知する伝搬情報通知手段である。システム制御部２８は、制御部２１から、制御部２１が２次データファイルＡ２３から取得した移動局３０の位置に対応する複数の基地局（＃１）〜（＃ｎ）の伝搬パラメータを取得する。システム制御部２８は、制御部２１から取得した複数の基地局（＃１）〜（＃ｎ）の伝搬パラメータを、ベースバンド部２６に入力する。このようにして、システム制御部２８は、制御部２１が２次データファイルＡ２３から取得した移動局３０の位置に対応する複数の基地局（＃１）〜（＃ｎ）の伝搬パラメータを、ベースバンド部２６及び無線部２７を介して、移動局３０に通知する。
【００５７】
又、システム制御部２８は、制御局１０から提供された２次データファイルＡ情報及び２次データファイルＢ情報を、Ｉ／Ｆ２９を介して取得する。システム制御部２８は、制御局１０から取得した２次データファイルＡ情報及び２次データファイルＢ情報を、制御部２１に入力する。尚、システム制御部２８は、制御局１０から、２次データファイルＡ情報や２次データファイルＢ情報を、定期的に取得してもよく、システム制御部２８から制御局１０に対して要求を出して取得してもよく、制御局１０の２次データファイルＡ１３や２次データファイルＢ１４が保持する情報に変更があったときに、取得するようにしてもよい。
【００５８】
又、システム制御部２８は、制御局１０から取得した２次データファイルＡ情報を、２次データファイルＡを備える移動局３０に転送する。システム制御部２８は、制御局１０から取得した２次データファイルＡ情報を、ベースバンド部２６に入力する。このようにして、システム制御部２８は、制御局１０から取得した２次データファイルＡ情報を、ベースバンド部２６及び無線部２７を介して、２次データファイルＡを備える移動局３０に転送する。
【００５９】
そして、システム制御部２８は、移動局３０から、２次データファイルＡ情報を全て正常に受信したことの受信完了通知を取得することにより、２次データファイルＡ情報の移動局３０への転送が完了したことを確認する。システム制御部２８は、ベースバンド部２６より、移動局３０からの受信完了通知を取得する。尚、基地局２０と移動局３０との間の電波の伝搬状況により、基地局２０から移動局３０への２次データファイルＡ情報の転送が、１回で完了しない場合がある。そのため、システム制御部２８は、一定時間を経過しても受信完了通知を取得できない場合には、再度、２次データファイルＡ情報を移動局３０に転送する。尚、システム制御部２８は、２次データファイルＡを備えない移動局３０には、２次データファイルＡ情報の転送を行う必要はない。Ｉ／Ｆ２９は、制御局１０と信号の送受信を行う送受信手段である。
【００６０】
伝送特性制御部２５と、ベースバンド部２６と、無線部２７と、アンテナ２７ａは、移動局３０との信号の送受信に関する処理を行う送受信系統である。伝送特性制御部２５は、制御部２１が取得した伝搬パラメータに基づいて、信号の伝送特性を制御する伝送特性制御手段である。具体的には、伝送特性制御部２５は、移動局３０の位置に対応する伝搬パラメータに基づいて、移動局３０との間で送受信する信号の伝送特性を制御する。伝送特制御部２５は、例えば、アダプティブアレーアンテナによる指向性制御、等化器のタップ制御、ＲＡＫＥ受信機の重み制御、送信電力制御、再送制御、誤り訂正制御、ＱｏＳ制御等の伝送特性の制御を行う。伝送特性制御部２５は、特に、上り回線を用いて移動局３０から送信された信号を受信する際に、その受信信号の伝送特性が改善されるように制御を行う。
【００６１】
伝送特性制御部２５は、制御部２１から、制御部２１が２次データファイルＢ２４から取得した移動局３０の位置に対応する各基地局（＃１）〜（＃ｎ）の伝搬パラメータそのものや、制御部２１が伝搬パラメータに基づいて決定した伝送特性制御部２５に指示する値を取得する。伝送特性制御部２５は、各基地局（＃１）〜（＃ｎ）の伝搬パラメータそのものや、制御部２１から指示された値に基づいて、信号の伝送特性を制御する。
【００６２】
例えば、伝送特性制御部２５は、アダプティブアレーアンテナによる指向性制御を行う場合には、制御部２１から、各アレーアンテナに対する具体的な送信の際の重み付け値を、制御部２１が指示する値として取得する。伝送特性制御部２５は、各アレーアンテナに対し、制御部２１から入力された重み付け値に基づいて制御する。これにより、基地局２０は、移動局３０の周囲の環境（位置情報、建物情報、道路情報等）に応じて、従来より適切に移動局３０の方向に電波を絞って送信することが可能になる。尚、この場合、アンテナ２７ａは、アレーアンテナである。又、伝送特性制御部２５は、ベースバンド部２６や無線部２７を介して、アンテナ２７ａを制御する。
【００６３】
又、伝送特性制御部２５は、受信信号の等化処理を等化器を用いて制御する場合には、制御部２１から、各チャネル推定値に対する具体的な重み付け値を、制御部２１が指示する値として取得する。この場合、伝送特性制御部２５が等化器として機能する。又、伝送特性制御部２５は、ベースバンド部２６から、移動局３０から送信された信号の受信信号を取得する。そして、伝送特性制御部２５が、ベースバンド部２６から入力された受信信号に対し、制御部２１から入力された重み付け値に基づいて制御する。
【００６４】
又、伝送特性制御部２５は、受信信号のＲＡＫＥ合成をＲＡＫＥ受信機を用いて制御する場合には、制御部２１から、各アンテナの受信信号に乗算する重み係数を、制御部２１が指示する値として取得する。この場合、伝送特性制御部２５がＲＡＫＥ受信機として機能する。又、伝送特性制御部２５は、ベースバンド部２６から、移動局３０から送信された信号の受信信号を取得する。そして、伝送特性制御部２５が、ベースバンド部２６から入力された各アンテナの受信信号に対し、制御部２１から入力された重み係数に基づいて乗算し、ＲＡＫＥ合成を行う。
【００６５】
これらにより、基地局２０は、移動局３０の周囲の環境（位置情報、建物情報、道路情報等）に応じて、従来より適切に移動局３０から受信した遅延波を含む受信信号を分離して受信することが可能になる。
【００６６】
尚、伝送特性制御部２５は、必要な伝送特性制御を行えばよい。例えば、伝送特性制御部２５は、伝搬パラメータに基づいて、指向性制御をしなくても済むと判断できる場合や、ＲＡＫＥ合成しなくても済むと判断できる場合には、それらの制御を行う機能をオフにすることができる。又、制御部２１が、伝送特性制御部２５に指示する値を「０」と決定することによっても、伝送特性制御部２５の制御機能をオフにすることができる。このように、伝送特性制御部２５は、移動局３０が存在する位置における伝搬状況に基づいて、伝送特性制御部２５の機能をオンしたりオフしたりすることができる。伝送特性制御部２５は、例えば、遅延プロファイルから分かる遅延波の最大値遅延量がそれほど大きくない場合は、伝送特性制御部２５の機能をオフしてしまっても構わない。伝送特性制御部２５は、伝搬パラメータに基づいて制御機能のオン、オフを切り替えることにより、消費電力を低減できる。
【００６７】
又、制御部２１が決定している伝送特性制御部２５に指示する値を、伝送特性制御部２５自身が、伝搬パラメータに基づいて決定するようにしてもよい。尚、伝送特性制御部２５は、制御部２１に伝搬パラメータの提供を要求するようにしてもよい。
【００６８】
ベースバンド部２６は、移動局３０と送受信する信号に対して信号処理を行う信号処理手段である。ベースバンド部２６は、無線部２７が移動局３０から受信した受信信号を取得し、信号処理を行う。ベースバンド部２６は、信号処理を行った受信信号を伝送特性制御部２５に入力する。又、ベースバンド部２６は、移動局３０からの２次データファイルＡ情報を全て正常に受信したことの受信完了通知を、システム制御部２８に入力する。
【００６９】
又、ベースバンド部２６は、移動局３０に送信する信号に信号処理を行って無線部２７に入力する。又、ベースバンド部２６は、システム制御部２８から、制御部２１が２次データファイルＡ２３から取得した移動局３０の位置に対応する複数の基地局（＃１）〜（＃ｎ）の伝搬パラメータを取得する。又、ベースバンド部２６は、システム制御部２８から、２次データファイルＡ情報を取得する。ベースバンド部２６は、取得した移動局３０の位置に対応する複数の基地局（＃１）〜（＃ｎ）の伝搬パラメータを含む制御信号や、２次データファイルＡ情報を含む制御信号を生成する。ベースバンド部２６は、生成した制御信号を無線部２７に入力する。
【００７０】
無線部２７は、アンテナ２７ａを介して移動局３０と信号の送受信を行う送受信手段である。無線部２７は、ベースバンド部２６から移動局３０に送信する信号を取得して、移動局３０に送信する。又、無線部２７は、ベースバンド部２６から移動局３０の位置に対応する複数の基地局（＃１）〜（＃ｎ）の伝搬パラメータを含む制御信号や、２次データファイルＡ情報を含む制御信号を取得する。無線部２７は、これらの制御信号を、移動局３０が待ち受け中に制御チャネルにより移動局３０に送信する。又、無線部２７は、移動局３０から送信された信号を受信し、その受信信号をベースバンド部２６に入力する。又、無線部２７は、移動局３０から送信された２次データファイルＡ情報を全て正常に受信したことの受信完了通知を受信し、ベースバンド部２６に入力する。
【００７１】
尚、基地局２０は、移動局３０が２次データファイルＡを備える場合には、２次データファイルＡ２３を備えなくてもよい。又、２次データファイルＡを備える移動局３０に対しては、制御部２１が、２次データファイルＡ２３から伝搬パラメータを取得してシステム制御部２８に入力し、システム制御部２８が、入力された伝搬パラメータを通知する必要はない。
【００７２】
但し、基地局２０は、移動局３０が２次データファイルＡを備える場合であっても、２次データファイルＡ２３を備えることが好ましい。又、以下に示すように、２次データファイルＡを備える移動局３０に対しても、制御部２１が、２次データファイルＡ２３から伝搬パラメータを取得してシステム制御部２８に入力し、システム制御部２８が、入力された伝搬パラメータを通知する必要が生じる場合がある。
【００７３】
上記したように、システム制御部２８が行う移動局３０への２次データファイルＡ情報の転送は、基地局２０と移動局３０との間の電波の伝搬状況により、１回で完了しない場合がある。そのため、基地局２０は、２次データファイルＡ２３を備えるようにする。そして、２次データファイルＡ情報の転送を開始してから、２次データファイルＡ情報を移動局３０が全て正常に受信し、移動局３０が備える２次データファイルＡの情報の更新が完了するまでの期間、制御部２１が、移動局３０で必要な度に、移動局３０の位置に対応する複数の基地局（＃１）〜（＃ｎ）の伝搬パラメータを２次データファイルＡ２３から取得し、システム制御部２８が移動局３０に通知するようにする。この他にも、移動局３０が備える２次データファイルＡに何らかの障害が発生した場合には、基地局２０が伝搬パラメータを移動局３０に通知するようにする。
【００７４】
又、基地局２０は、移動局３０が位置検出部を備える場合には、位置検出部２２及び位置検出用アンテナ２２ａを備えなくてもよい。基地局２０は、位置検出部２２及び位置検出用アンテナ２２ａを備えない場合には、移動局３０から移動局３０自身の位置を通知してもらう。具体的には、無線部２７が、アンテナ２７ａを介して移動局３０から通知される移動局３０の位置を含む制御信号を受信する。無線部２７は、受信した制御信号をベースバンド部２６に入力する。ベースバンド部２６は、無線部２７から取得した制御信号から、移動局３０の位置を取得し、システム制御部２８に入力する。システム制御部２８は、ベースバンド部２６から取得した移動局３０の位置を制御部２１に入力する。このように、無線部２７は、移動局３０から通知される移動局３０の位置を受信する受信手段としても機能する。即ち、無線部２７は、移動局３０の位置を取得する位置取得手段として機能する。
【００７５】
又、反対に、移動局３０が位置検出部を備えない場合には、基地局２０が検出した移動局３０の位置を移動局３０に通知するようにしてもよい。その場合には、位置検出部２２が、検出した移動局３０の位置を制御部２１に入力し、制御部２１が、移動局３０の位置をシステム制御部２８に入力する。システム制御部２８は、移動局３０の位置をベースバンド部２６に入力する。ベースバンド部２６は、移動局３０の位置を含む制御信号を生成して無線部２７に入力し、無線部２７が制御信号を移動局３０に送信する。このようにして、基地局２０は、移動局３０に位置検出部２２が検出した移動局３０の位置を通知することもできる。
【００７６】
更に、制御部２１は、移動局３０の移動先の位置を予測する予測手段としても機能できる。そのため、基地局２０や移動局３０が、予測される今後の移動先における伝搬情報を用いて予測制御を行いたい場合には、制御部２１は、移動局３０の移動先の位置を予測する。具体的には、制御部２１は、位置検出部２２やシステム制御部２８から提供される移動局３０の位置の変化に基づいて、移動局３０の移動方向や移動速度等を求める。制御部２１は、求めた移動局３０の移動方向や移動速度等に基づいて、移動局３０の移動先の位置を予測する。そして、制御部２１は、移動局３０の位置を取得した場合と同様にして、２次データファイルＡ２３から、予測した移動局３０の移動先の位置に対応する複数の基地局（＃１）〜（＃ｎ）の伝搬パラメータを、位置情報毎に取得する。又、制御部２１は、２次データファイルＢ２４から、予測した移動局３０の移動先の位置に対応する各基地局（＃１）〜（＃ｎ）の伝搬パラメータを、基地局毎に取得する。
【００７７】
制御部２１は、２次データファイルＡ２３から取得した移動局３０の移動先の位置に対応する複数の基地局（＃１）〜（＃ｎ）の伝搬パラメータを、システム制御部２８に入力する。又、制御部２１は、２次データファイルＢ２４から取得した移動局３０の移動先の位置に対応する各基地局（＃１）〜（＃ｎ）の伝搬パラメータを、伝送特性制御部２５に入力する。そして、予測した移動局３０の移動先の位置に対応する伝搬パラメータは、伝送特性制御部２５に利用されたり、システム制御部２８によって移動局３０に通知されたりする。このようにして、制御部２１は、移動局３０の今後の移動先の位置を予測し、予測される今後の移動先における伝搬パラメータを予め取得することができる。そのため、基地局２０は、予測される今後の移動先における伝搬パラメータを用いて、様々な予測制御を行うことができ、伝送特性の更なる高品質化に有効である。
【００７８】
（移動局）
移動局３０は、図７に示すように、制御部３１と、位置検出部３２と、位置検出用アンテナ３２ａと、２次データファイルＡ３３と、伝送特性制御部３５と、ベースバンド部３６と、無線部３７と、アンテナ３７ａと、システム制御部３８とを備える。
【００７９】
制御部３１と、位置検出部３２と、位置検出用アンテナ３２ａと、２次データファイルＡ３３は、伝搬パラメータに関する処理を行う伝搬パラメータ処理系統である。２次データファイルＡ３３は、伝搬情報である伝搬パラメータを位置報に対応付けて保持する伝搬情報保持手段である。２次データファイルＡ３３は、制御局１０の２次データファイルＡ１３と同一である。即ち、２次データファイルＡ３３は、図４（ｂ）に示すように、ノード２ａ毎に、位置情報用カラム４と、そのノード２ａにおける複数の基地局（＃１）〜（＃ｎ）の伝搬パラメータをそれぞれ格納する複数の伝搬パラメータ用カラム７１〜７１ｎとを備える。そして、ノード２ａ毎に設けられた位置情報用カラム４、複数の伝搬パラメータ用カラム７１〜７１ｎに、各ノード２ａの位置情報、複数の基地局（＃１）〜（＃ｎ）の伝搬パラメータが格納されている。更に、２次データファイルＡ３３は、複数の基地局（＃１）〜（＃ｎ）の伝搬パラメータを、一定の基準に従って保持している。
【００８０】
位置検出部３２は、移動局３０の位置を検出する位置検出手段である。例えば、位置検出部３２として、ＧＰＳ（Ｇｌｏｂａｌ  Ｐｏｓｉｔｉｏｎｉｎｇ  Ｓｙｓｔｅｍ）を用い、位置検出用アンテナ３２ａとして、ＧＰＳアンテナを用いることができる。位置検出部３２は、検出した移動局３０の位置を制御部３１に入力する。
【００８１】
制御部３１は、位置検出部３２が検出した移動局３０の位置に基づいて、２次データファイルＡ３３から、伝搬情報である伝搬パラメータを取得する取得手段である。制御部３１は、位置検出部３２から入力された移動局３０の位置と、図４（ｃ）に示した２次データファイルＡ３３の位置情報用カラム４に格納されたノード２ａの位置情報とを照合する。制御部３１は、２次データファイルＡ３３から、検出した移動局３０の位置と位置情報が最も近いノード２ａにおける複数の基地局（＃１）〜（＃ｎ）の伝搬パラメータを取得する。このようにして、制御部３１は、移動局３０の位置に対応する複数の基地局（＃１）〜（＃ｎ）の伝搬パラメータを、位置情報毎に取得する。しかも、伝搬パラメータは、一定の基準に従って整理されて２次データファイルＡ３３に保持されているため、制御部３１は、利用し易い状態で、伝搬パラメータを取得することができる。
【００８２】
制御部３１は、位置検出部３２から入力された移動局３０の位置を、システム制御部３８に入力する。又、制御部３１は、２次データファイルＡ３３から取得した移動局３０の位置に対応する複数の基地局（＃１）〜（＃ｎ）の伝搬パラメータを、伝送特性制御部３５に入力する。尚、制御部３１は、取得した伝搬パラメータに基づいて、伝送特性制御部３５に指示する値を決定するようにしてもよい。そして、制御部３１は、取得した伝搬パラメータそのものを伝送特性制御部３５に入力してもよく、伝搬パラメータに基づいて決定した指示する値を伝送特性制御部３５に入力してもよく、伝搬パラメータそのものと決定した指示する値の両方を伝送特性制御部３５に入力してもよい。い。尚、制御部３１は、伝送特性制御部３５からの要求に応じて伝搬パラメータを取得し、伝送特性制御部３５に取得した伝搬パラメータを入力するようにしてもよい。
【００８３】
ここで、制御部３１が決定する伝送特性制御部３５に指示する値は、伝送特性制御部３５が行う伝送特性制御の内容に応じて異なる。制御部３１は、伝送特性制御部３５が受信信号の等化処理を等化器を用いて制御する場合には、各チャネル推定値に対する具体的な重み付け値を、伝送特性制御部３５に指示する値として決定する。又、制御部３１は、伝送特性制御部３５が受信信号のＲＡＫＥ合成をＲＡＫＥ受信機を用いて制御する場合には、各アンテナの受信信号に乗算する重み係数を、伝送特性制御部３５に指示する値として決定する。
【００８４】
又、制御部３１は、制御局１０から提供された２次データファイルＡ情報を、２次データファイルＡ３３に格納する記録手段としても機能する。移動局３０は、制御局１０から提供された２次データファイルＡ情報を、基地局２０に転送してもらう。そのため、制御部３１は、制御局１０から提供され、基地局２０により転送された２次データファイルＡ情報を、システム制御部３８から取得する。制御部３１は、２次データファイルＡ情報を２次データファイルＡ３３に格納する。このようにして、制御部３１は、２次データファイルＡ３３の作成及び更新を行う。
【００８５】
システム制御部３８は、基地局２０との間の処理を行うシステム制御系統である。システム制御部３８は、位置検出部３２が検出した移動局３０の位置を基地局２０に通知する位置通知手段である。システム制御部３８は、制御部３１から、制御部３１が位置検出部３２から取得した移動局３０の位置を取得する。システム制御部３８は、制御部３１から取得した移動局３０の位置を、ベースバンド部３６に入力する。このようにして、システム制御部３８は、位置検出部３２が検出した移動局３０の位置を、ベースバンド部３６及び無線部３７を介して、基地局２０に通知する。
【００８６】
又、システム制御部３８は、制御局１０から提供され、基地局２０から転送された２次データファイルＡ情報を、ベースバンド部３６から取得する。システム制御部３８は、制御局１０から基地局２０を介して取得した２次データファイルＡ情報を、制御部３１に入力する。尚、システム制御部３８は、制御局１０から、２次データファイルＡ情報を、定期的に取得してもよく、システム制御部３８から制御局１０に対して要求を出して取得してもよく、制御局１０の２次データファイルＡ１３が保持する情報に変更があったときに、取得するようにしてもよい。
【００８７】
そして、システム制御部３８は、２次データファイルＡ情報を全て正常に受信し、２次データファイルＡ３３を更新できたか否かを確認する。システム制御部３８は、２次データファイルＡ情報を全て正常に受信でき、２次データファイルＡ３３を更新できた場合には、受信完了通知を作成する。システム制御部３８は、作成した受信完了通知をベースバンド部３６に入力する。システム制御部３８は、ベースバンド部３６、無線部３７を介して、受信完了通知を基地局２０に送信する。一方、システム制御部３８は、２次データファイルＡ情報を正常に受信できなかった場合には、受信完了通知を基地局２０に送信せずに、基地局２０からの２次データファイルＡ情報の再送を待つ。
【００８８】
伝送特性制御部３５と、ベースバンド部３６と、無線部３７と、アンテナ３７ａは、基地局２０との信号の送受信に関する処理を行う送受信系統である。伝送特性制御部３５は、制御部３１が取得した伝搬パラメータに基づいて、信号の伝送特性を制御する伝送特性制御手段である。具体的には、伝送特性制御部３５は、移動局３０の位置に対応する伝搬パラメータに基づいて、基地局２０との間で送受信する信号の伝送特性を制御する。伝送特制御部３５は、例えば、アダプティブアレーアンテナによる指向性制御、等化器のタップ制御、ＲＡＫＥ受信機の重み制御、送信電力制御、再送制御、誤り訂正制御、ＱｏＳ制御等の伝送特性の制御を行う。伝送特性制御部３５は、特に、下り回線を用いて基地局２０から送信された信号を受信する際に、その受信信号の伝送特性が改善されるように制御を行う。
【００８９】
伝送特性制御部３５は、制御部３１から、制御部３１が２次データファイルＡ３３から取得した移動局３０の位置に対応する複数の基地局（＃１）〜（＃ｎ）の伝搬パラメータそのものや、制御部３１が伝搬パラメータに基づいて決定した伝送特性制御部３５に指示する値を取得する。伝送特性制御部３５は、複数の基地局（＃１）〜（＃ｎ）の伝搬パラメータそのものや、制御部３１から指示された値に基づいて、信号の伝送特性を制御する。
【００９０】
例えば、伝送特性制御部３５は、受信信号の等化処理を等化器を用いて制御する場合には、制御部３１から、各チャネル推定値に対する具体的な重み付け値を、制御部３１が指示する値として取得する。この場合、伝送特性制御部３５が等化器として機能する。又、伝送特性制御部３５は、ベースバンド部３６から、基地局２０から送信された信号の受信信号を取得する。そして、伝送特性制御部３５が、ベースバンド部３６から入力された受信信号に対し、制御部３１から入力された重み付け値に基づいて制御する。
【００９１】
又、伝送特性制御部３５は、受信信号のＲＡＫＥ合成をＲＡＫＥ受信機を用いて制御する場合には、制御部３１から、各アンテナの受信信号に乗算する重み係数を、制御部３１が指示する値として取得する。この場合、伝送特性制御部２５がＲＡＫＥ受信機として機能する。又、伝送特性制御部３５は、ベースバンド部３６から、移動局３０から送信された信号の受信信号を取得する。そして、伝送特性制御部３５が、ベースバンド部３６から入力された各アンテナの受信信号に対し、制御部３１から入力された重み係数に基づいて乗算し、ＲＡＫＥ合成を行う。
【００９２】
これらにより、移動局３０は、移動局３０の周囲の環境（位置情報、建物情報、道路情報等）に応じて、従来より適切に基地局２０から受信した遅延波を含む受信信号を分離して受信することが可能になる。
【００９３】
又、伝送特性制御部３５は、アダプティブアレーアンテナによる指向性制御を行う場合には、基地局２０のアダプティブアレイアンテナから送信された信号を、電波の到来方向に絞って受信するようにアンテナ３７ａを制御する。これにより、移動局３０は、移動局３０の周囲の環境（位置情報、建物情報、道路情報等）に応じて、従来より適切に電波の到来方向に絞って電波を受信することが可能になる。尚、この場合、伝送特性制御部３５は、ベースバンド部３６や無線部３７を介して、アンテナ３７ａを制御する。
【００９４】
尚、伝送特性制御部３５は、必要な伝送特性制御を行えばよい。例えば、伝送特性制御部３５は、伝搬パラメータに基づいて、指向性制御をしなくても済むと判断できる場合や、ＲＡＫＥ合成しなくても済むと判断できる場合には、それらの制御を行う機能をオフにすることができる。又、制御部３１が、伝送特性制御部３５に指示する値を「０」と決定することによっても、伝送特性制御部２５の制御機能をオフにすることができる。このように、伝送特性制御部３５は、移動局３０が存在する位置における伝搬状況に基づいて、伝送特性制御部３５の機能をオンしたりオフしたりすることができる。伝送特性制御部３５は、例えば、遅延プロファイルから分かる遅延波の最大値遅延量がそれほど大きくない場合は、伝送特性制御部３５の機能をオフしてしまっても構わない。伝送特性制御部３５は、伝搬パラメータに基づいて制御機能のオン、オフを切り替えることにより、消費電力を低減できる。
【００９５】
又、制御部３１が決定している伝送特性制御部３５に指示する値を、伝送特性制御部３５自身が、伝搬パラメータに基づいて決定するようにしてもよい。尚、伝送特性制御部３５は、制御部３１に伝搬パラメータの提供を要求するようにしてもよい。
【００９６】
ベースバンド部３６は、基地局２０と送受信する信号に対して信号処理を行う信号処理手段である。ベースバンド部３６は、無線部３７が基地局２０から受信した受信信号を取得し、信号処理を行う。ベースバンド部３６は、信号処理を行った受信信号を伝送特性制御部３５に入力する。又、ベースバンド部３６は、無線部３７から、２次データファイルＡ情報を含む制御信号を取得する。ベースバンド部３６は、取得した２次データファイルＡ情報を含む制御信号から、２次データファイルＡ情報を取得し、システム制御部３８に入力する。
【００９７】
又、ベースバンド部３６は、基地局２０に送信する信号に信号処理を行って無線部３７に入力する。又、ベースバンド部３６は、システム制御部３８から、位置検出部３２が検出した移動局３０の位置を取得する。又、ベースバンド部３６は、システム制御部３８から、２次データファイルＡ情報を全て正常に受信したことの受信完了通知を取得する。そして、ベースバンド部３６は、移動局３０の位置を含む制御信号や、受信完了通知を含む制御信号を生成する。ベースバンド部３６は、生成した制御信号を無線部３７に入力する。
【００９８】
無線部３７は、アンテナ３７ａを介して基地局２０と信号の送受信を行う送受信手段である。無線部３７は、ベースバンド部３６から基地局２０に送信する信号を取得して、基地局２０に送信する。又、無線部３７は、ベースバンド部３６から移動局３０の位置を含む制御信号や、受信完了通知を含む制御信号を取得する。無線部３７は、これらの制御信号を、制御チャネルにより基地局２０に送信する。又、無線部３７は、基地局２０から送信された信号を受信し、その受信信号をベースバンド部３６に入力する。又、無線部３７は、基地局２０から送信された２次データファイルＡ情報を含む制御信号を受信し、ベースバンド部３６に入力する。
【００９９】
尚、移動局３０は、基地局２０が２次データファイルＡ２３を備える場合には、２次データファイルＡ３３を備えなくてもよい。その場合には、移動局３０は、基地局２０から、基地局２０が２次データファイルＡ２３から取得した移動局３０の位置に対応する複数の基地局（＃１）〜（＃ｎ）の伝搬パラメータを通知してもらう。具体的には、無線部３７が、基地局２０から送信される基地局２０が２次データファイルＡ２３から取得した移動局３０の位置に対応する複数の基地局（＃１）〜（＃ｎ）の伝搬パラメータを含む制御信号を受信する。無線部３７は、受信した制御信号をベースバンド部３６に入力する。ベースバンド部３６は、制御信号から移動局３０の位置に対応する複数の基地局（＃１）〜（＃ｎ）の伝搬パラメータを取得し、伝送特性制御部３５に入力する。そして、伝送特性制御部３５は、基地局２０から通知された移動局３０の位置に対応する複数の基地局（＃１）〜（＃ｎ）の伝搬パラメータを用いて、伝送制御を行う。尚、伝送特性制御部３５は、基地局２０に伝搬パラメータの提供を要求するようにしてもよい。
【０１００】
又、移動局３０は、２次データファイルＡ３３を備えない場合には、制御部３１も備えなくてよい。この場合には、位置検出部３２は、検出した位置をシステム制御部３８に直接入力する。又、システム制御部３８は、２次データファイルＡ３３の更新に関する動作を行う必要もない。
【０１０１】
又、基地局２０が位置検出部２２を備える場合には、移動局３０は、基地局２０への移動局３０の位置の通知に関する動作を行う必要はない。反対に、移動局３０は、基地局２０から移動局３０の位置を通知してもらうようにしてもよい。その場合、移動局３０は、位置検出部３２及び位置検出用アンテナ３２ａを備える必要がない。具体的には、無線部３７は、基地局２０から送信された移動局３０の位置を含む制御信号を受信する。無線部３７は、受信した制御信号をベースバンド部３６に入力する。ベースバンド部３６は、制御信号から移動局３０の位置を取得し、システム制御部３８に入力する。システム制御部３８は、制御部３１に基地局２０から通知された移動局３０の位置を入力する。そして、制御部３１が、基地局２０から通知された移動局３０の位置に基づいて、２次データファイルＡ３３から伝搬パラメータを取得する。
【０１０２】
更に、制御部３１は、基地局２０の制御部２１と同様にして、移動局３０の移動先の位置を予測する予測手段としても機能できる。そのため、基地局２０や移動局３０が、予測される今後の移動先における伝搬情報を用いて予測制御を行いたい場合には、制御部３１は、移動局３０の移動先の位置を予測する。具体的には、制御部３１は、位置検出部３２やシステム制御部３８から提供される移動局３０の位置の変化に基づいて、移動局３０の移動方向や移動速度等を求める。制御部３１は、求めた移動局３０の移動方向や移動速度等に基づいて、移動局３０の移動先の位置を予測する。そして、制御部３１は、移動局３０の位置を取得した場合と同様にして、２次データファイルＡ３３から、予測した移動局３０の移動先の位置に対応する複数の基地局（＃１）〜（＃ｎ）の伝搬パラメータを、位置情報毎に取得する。
【０１０３】
制御部３１は、２次データファイルＡ３３から取得した移動局３０の移動先の位置に対応する複数の基地局（＃１）〜（＃ｎ）の伝搬パラメータを、伝送特性制御部３５に入力する。そして、予測した移動局３０の移動先の位置に対応する伝搬パラメータは、伝送特性制御部３５に利用される。又、制御部３１は、予測した移動局３０の移動先の位置を、システム制御部３８に入力する。システム制御部３８は、ベースバンド部３６、無線部３７を介して、予測した移動局３０の移動先の位置を基地局２０に通知する。このようにして、制御部３１は、移動局３０の今後の移動先の位置を予測し、予測される今後の移動先における伝搬パラメータを予め取得することができる。そのため、移動局３０は、予測される今後の移動先における伝搬パラメータを用いて、様々な予測制御を行うことができ、伝送特性の更なる高品質化に有効である。
【０１０４】
〔通信方法〕
次に、通信システム１における通信方法を説明する。まず、図８を用いて、２次データファイルＡ１３，２３，３３及び２次データファイルＢ１４，Ｂ２４の作成方法について説明する。まず、制御局１０は、原始データファイル１１から、位置情報、道路情報、建物情報を取得する。制御局１０は、取得した道路情報に基づいて、道路をノードとエレメントで表す。そして、制御局１０は、１次データファイル１２に、各ノードの位置情報、建物情報及び道路情報を格納する（Ｓ１０１）。
【０１０５】
次に、制御局１０は、原始データファイル１１から取得した位置情報、道路情報及び建物情報と、計算データファイル１５から取得した計算データを用いて、各ノードにおける各基地局に関する伝搬パラメータを計算する。そして、制御局１０は、計算により求めた各ノードにおける各基地局の伝搬パラメータを、１次データファイル１２に格納する（Ｓ１０２）。次に、制御局１０は、１次データファイル１２から、各ノードの位置情報と、各ノードにおける複数の基地局に関する伝搬パラメータを取得し、一定の基準に従って整理する。制御局１０は、２次データファイルＡ１３に、各ノードの位置情報と、整理した各ノードにおける複数の基地局の伝搬パラメータを格納して、２次データファイルＡ１３を作成する（Ｓ１０３）。
【０１０６】
次に、制御局１０は、１次データファイル１２から、各ノードの位置情報と、各ノードにおける各基地局に関する伝搬パラメータを取得する。制御局１０は、２次データファイルＢ１４に、各ノードの位置情報と、各ノードにおける各基地局の伝搬パラメータを格納して、２次データファイルＢ１４を作成する（Ｓ１０４）。最後に、制御局１０は、基地局２０及び移動局３０に、２次データファイルＡ１３から取得した２次データファイルＡ情報と、２次データファイルＢ１４から取得した２次データファイルＢ情報を提供する。基地局２０及び移動局３０は、制御局１０から提供された２次データファイルＡ情報及び２次データファイルＢ情報を、２次データファイルＡ２３，３３や２次データファイルＢ２４に格納することによって、伝搬パラメータを位置情報に対応付けて保持する２次データファイルＡ２３，３３や２次データファイルＢ２４を作成する（Ｓ１０５）。
【０１０７】
次に、図９を用いて、伝搬パラメータの取得方法について説明する。まず、基地局２０や移動局３０は、移動局３０の位置を検出する（Ｓ２０１）。基地局２０や移動局３０は、検出した移動局３０の位置に基づいて、２次データファイルＡ２３，３３や２次データファイルＢ２４から、移動局３０の位置に対応する基地局の伝搬パラメータを取得する（Ｓ２０２）。そして、基地局２０や移動局３０は、取得した移動局３０の位置に対応する基地局の伝搬パラメータに基づいて、伝送特性の制御を行う（Ｓ２０３）。
【０１０８】
〔効果〕
このような通信システム１、基地局２０、移動局３０及び通信方法によれば、２次データファイルＡ２３，３３や２次データファイルＢ２４が、予め伝搬パラメータを位置情報に対応付けて保持している。そして、制御部２１，３１が、位置検出部２２，３２が検出した移動局３０の位置に基づいて、２次データファイルＡ２３，３３や２次データファイルＢ２４から伝搬パラメータを取得する。そのため、基地局２０や移動局３０は、従来のように専用信号を伝送して伝搬情報を測定する必要がない。よって、基地局２０や移動局３０は、伝送効率を損なうことがなく、測定のための特別な回路や制御も不要である。
【０１０９】
更に、建物や道路の変化や、一度設置した基地局の配置の変更は、月単位、短くても週単位の極めて緩やかな変化である。よって、各地点（各ノード２ａ）における伝搬パラメータは、ほぼ一定とみなしても問題はない。よって、各地点での伝搬パラメータを必要とする度に計算して求めるのではなく予め求めておき、基地局２０や移動局３０が、２次データファイルＡ２３，３３や２次データファイルＢ２４として保持しておくことにより、基地局２０や移動局３０は、移動局３０の移動の度に測定を行う必要もない。以上のことから、基地局２０や移動局３０は、伝送効率を低下させることなく、容易に伝搬情報を取得することができる。
【０１１０】
又、通信システム１、基地局２０、移動局３０は、制御部２１，３１が取得した伝搬パラメータに基づいて、信号の伝送特性を制御する伝送特性制御部２５，３５を備える。そのため、通信システム１、基地局２０、移動局３０は、取得した伝搬パラメータに基づいて、信号の伝送特性を適切に制御できる。
【０１１１】
又、基地局２０は、制御部２１が取得した伝搬パラメータを、移動局３０に通知するシステム制御部２８を備えている。そのため、基地局２０は、基地局２０が取得した伝搬パラメータを移動局３０に通知することができ、移動局３０は、基地局２０に伝搬パラメータを通知してもらうことにより、伝搬パラメータを取得することができる。
【０１１２】
又、移動局３０は、位置検出部３２が検出した移動局３０の位置を基地局２０に通知するシステム制御部３８を備えている。そのため、移動局３０は、移動局３０が検出した移動局３０自身の位置を基地局２０に通知することができる。よって、基地局２０は、移動局３０に移動局２０の位置を通知してもらうことにより、移動局３０の位置を取得することができ、位置検出部を省略することができる。
【０１１３】
又、制御局１０によれば、２次データファイルＡ１３や２次データファイルＢ１４が、予め伝搬パラメータを位置情報に対応付けて保持している。そして、制御部１６が、２次データファイルＡ１３や２次データファイルＢ１４に保持された２次データファイルＡ情報や２次データファイルＢ情報を基地局２０や移動局３０に提供する。よって、基地局２０や移動局３０は、伝搬パラメータを制御局１０から提供してもらうことにより、取得することができる。そのため、例えば、伝搬パラメータに変更があった場合であっても、基地局２０や移動局３０は、制御局１０から新たな伝搬パラメータを取得するだけでよく、自ら伝搬パラメータを求める必要がない。特に、２次データファイルＡ１３や２次データファイルＢ１４は、基地局２０や移動局３０が備える２次データファイルＡ２３，３３や２次データファイルＢ２４と同一であるため、制御局１０は、基地局２０や移動局３０が利用し易い状態で、伝搬パラメータを基地局２０や移動局３０に提供できる。
【０１１４】
更に、制御局１０では、制御部１６が、原始データファイル１１に保持された位置情報や建物情報、道路情報と、計算データファイル１５に保持された計算データに基づいて、伝搬パラメータを求める。そして、制御部１６が、計算した伝搬パラメータを位置情報に対応付けて１次データファイル１２、２次データファイルＡ１３及び２次データファイルＢ１４に格納する。そのため、制御局１０は、伝搬パラメータを保持する１次データファイル１２、２次データファイルＡ１３及び２次データファイルＢ１４を作成することができる。よって、建物や道路の変更によって、伝搬パラメータが変化してしまった場合であっても、制御局１０は、新たな伝搬パラメータを求め、１次データファイル１２、２次データファイルＡ１３及び２次データファイルＢ１４が保持する伝搬パラメータを新たな伝搬パラメータに更新することができる。そして、制御局１０は、更新後の新たな伝搬パラメータを基地局２０や移動局３０に提供することができる。よって、基地局２０や移動局３０が備える２次データファイルＡ２３，３３及び２次データファイルＢ２４の伝搬パラメータも、最新の情報に更新することができる。
【０１１５】
なお本発明は、図６に記載の少なくとも１つの基地局が、他の基地局間で伝送特性制御を自律的に行うことができ、また図７に記載の少なくとも１つの移動局が、他の移動局の通信を中継する場合に伝送特性制御を行うことができることは言うまでもない。又、本発明は機能毎に制御部２１，３１、システム制御部２８，３８、伝送特性制御部２５，３５と明記しているが、同一の制御部による制御でも良いことは言うまでもない。また、伝送方式は上記実施例により限定されるものではない。又、制御局１０は、基地局２０の位置検出部２２と同様の位置検出部を備えたり、移動局３０や基地局２０から移動局３０の位置を提供してもらい、Ｉ／Ｆ１７が受信したりすることにより、移動局３０の位置を取得するようにしてもよい。そして、制御部２６が、取得した移動局３０の位置に基づいて、２次データファイルＡ１３や２次データファイルＢ１４から伝搬パラメータを取得し、取得した伝搬パラメータに基づいて、基地局２０や移動局３０が送受信する信号の伝送特性を制御するようにしてもよい。
【０１１６】
【発明の効果】
以上説明したように、本発明によれば、伝送効率を低下させることなく、容易に電波の伝搬に関する伝搬情報を取得することができる通信システム、基地局、移動局、制御局及び通信方法を提供することができる。又、本発明によれば、取得した伝搬情報に基づいて、信号の伝送特性を適切に制御することができる通信システム、基地局、移動局、制御局及び通信方法を提供することができる。
【図面の簡単な説明】
【図１】本発明の実施の形態に係る通信システムの構成を示すブロック図である。
【図２】本発明の実施の形態に係る制御局の構成を示すブロック図である。
【図３】本発明の実施の形態に係るノードとエレメントを説明する説明図である。
【図４】本発明の実施の形態に係る１次データファイル、２次データファイルＡ、２次データファイルＢを説明する説明図である。
【図５】本発明の実施の形態に係る１次データファイル、２次データファイルＡ、２次データファイルＢの作成の手順を説明する図である。
【図６】本発明の実施の形態に係る基地局の構成を示すブロック図である。
【図７】本発明の実施の形態に係る移動局の構成を示すブロック図である。
【図８】本発明の実施の形態に係る２次データファイルＡ、２次データファイルＢの作成方法の手順を示すフロー図である。
【図９】本発明の実施の形態に係る伝搬パラメータの取得方法の手順を示すフロー図である。
【符号の説明】
１  通信システム
１０  制御局
１１  原始データファイル
１２  １次データファイル
１３，２３，３３  ２次データファイルＡ
１４，２４  ２次データファイルＢ
１５  計算データファイル
１６  制御部
１７，２９  Ｉ／Ｆ
２０  基地局
２１，３１  制御部
２２，３２  位置検出部
２２ａ，３２ａ  位置検出用アンテナ
２５，３５  伝送特性制御部
２６，３６  ベースバンド部
２７，３７  無線部
２７ａ，３７ａ  アンテナ
２８，３８  システム制御部
３０  移動局
【図１】
2004187210.tif 000003
【図２】
2004187210.tif 000004
【図３】
2004187210.tif 000005
【図４】
2004187210.tif 000006
【図５】
2004187210.tif 000007
【図６】
2004187210.tif 000008
【図７】
2004187210.tif 000009
【図８】
2004187210.tif 000010
【図９】
2004187210.tif 000011